【手続補正書】
【提出日】平成18年9月26日(2006.9.26)
【手続補正１】
【補正対象書類名】明細書
【補正対象項目名】特許請求の範囲
【補正方法】変更
【補正の内容】
【特許請求の範囲】
【請求項１】  複数本の走査電極と複数本の信号電極とをマトリクス状に交差配置し、マトリクスの各交差点で表示素子を前記走査電極と前記信号電極との間の電圧によって駆動するドットマトリクス表示装置であって、
前記走査電極と所定の基準電位を与える基準電圧端子との間に整流素子を所定の極性の向きで電気的に接続し、前記走査電極上の電荷を前記整流素子を介して前記基準電圧端子側に放電するドットマトリクス表示装置。
【請求項２】  前記走査電極と前記基準電圧端子との間で前記整流素子と直列に接続されたスイッチと、
前記走査電極に駆動電圧が供給されている期間中の所定時間だけ前記スイッチをオン状態にするスイッチ制御手段と
を有する請求項１に記載のドットマトリクス表示装置。
【請求項３】  一定の水平走査周期で前記複数本の走査電極を所定の駆動用基準電圧で順次駆動する走査電極駆動手段と、
前記水平走査の各サイクルにおいて前記複数本の信号電極をそれぞれ対応する信号に応じて駆動する信号電極駆動手段と、
前記走査電極と前記基準電圧端子との間で前記整流素子と直列に接続されたスイッチと、
各水平走査期間の走査駆動期間中の所定時間だけ前記スイッチをオン状態にするスイッチ制御手段と
を有する請求項１に記載のドットマトリクス表示装置。
【請求項４】  前記走査電極と前記基準電圧端子との間で前記整流素子と直列に接続された定電流源回路を有する請求項１〜３のいずれか一項に記載のドットマトリクス表示装置。
【請求項５】  前記表示素子は発光ダイオードからなり、一部の前記表示素子が前記整流素子として機能する請求項１〜４のいずれか一項に記載のドットマトリクス表示装置。
【請求項６】  マトリクス状に配置された複数の走査線及び複数の信号線と、各走査線と各信号線との間にそれらの交差位置においてそれぞれ結合された複数の表示素子と、表示素子の誤活性化を低減するための回路とを有するドットマトリクス表示装置であって、
上記回路が、
表示素子を駆動するために使用される電圧よりも低い出力電圧を有する電圧源と、
信号線が表示素子を活性化していないときに、表示素子を駆動するために使用される電圧と上記電圧源とに各走査線を結合させる放電回路と
を有する表示装置。
【請求項７】  上記放電回路の動作によって、表示素子の誤活性化を低減するために表示素子に蓄積された電荷が放電される請求項６に記載の表示装置。
【請求項８】  上記ドットマトリクス表示装置がＬＥＤ表示装置である請求項６又は７に記載の表示装置。
【請求項９】  上記放電回路が、各ＬＥＤと走査線に蓄積された電荷を放電するために、各走査線と上記電圧源との間にそれぞれ結合されている複数のＬＥＤを有する請求項８に記載の表示装置。
【請求項１０】  上記放電回路が、更に、上記各ＬＥＤの一方の電極と上記電圧源との間に結合されたスイッチを有する請求項９に記載の表示装置。
【請求項１１】  上記放電回路が、更に、スイッチと上記電圧源との間に結合された電流源を有する請求項１０に記載の表示装置。
【請求項１２】  上記複数のＬＥＤがドットマトリクス表示装置の１列に配置されており、当該１列のＬＥＤが表示装置の可視領域を形成しないように覆われている請求項９乃至１１の何れかに記載の表示装置。
【請求項１３】  上記電圧源が基準電位である請求項６乃至１２の何れかに記載の表示装置。
【請求項１４】  上記放電回路が複数の走査線バッファ回路を有し、
当該走査線バッファ回路の各々が、表示素子が駆動されないときに、走査線の１つを上記電圧源に結合する請求項６に記載の表示装置。
【請求項１５】  上記バッファ回路の各々が、表示素子が駆動されるときに、それぞれの走査線を駆動電圧源に結合する請求項１４に記載の表示装置。
【請求項１６】  上記電圧源が基準電位である請求項１４又は１５に記載の表示装置。
【請求項１７】  各水平走査期間の開始時と各駆動信号の印加の時間との間に、表示素子が放電される請求項６乃至１６の何れかに記載の表示装置。
【請求項１８】  マトリクス状に配置された複数の走査線及び複数の信号線と、各走査線と各信号線との間にそれらの交差位置においてそれぞれ結合された複数の表示素子と、表示素子の誤活性化を低減するための回路とを有するドットマトリクス表示装置であって、
上記回路が、
表示素子を駆動するために使用される電圧よりも低い出力電圧を有する電圧源と、
信号線の１つが表示素子を活性化していないときに、表示素子を駆動するために使用される電圧と上記電圧源とに各走査線を結合させる放電回路と
を有し、
上記放電回路が複数のＬＥＤと複数のスイッチとを有し、
上記ＬＥＤの１つが、走査線に蓄積された電荷を放電するために、走査線と上記電圧源との間に結合されており、
上記スイッチの１つが上記ＬＥＤと上記電圧源との間に結合されている
表示装置。
【請求項１９】  上記放電回路が、更に、上記各スイッチと上記電圧源との間に結合された電流源を有する請求項１８に記載の表示装置。
【請求項２０】  上記電圧源が基準電位である請求項１８又は１９に記載の表示装置。
【手続補正２】
【補正対象書類名】明細書
【補正対象項目名】０００３
【補正方法】変更
【補正の内容】
【０００３】
コモンラインＣＬ0，ＣＬ1，ＣＬ2，‥‥は、それぞれスイッチＫ0，Ｋ1，Ｋ2，‥‥を介して正極性の電源電圧ＶBBの端子に電気的に接続されている。一方、信号ラインＲＬ0，ＲＬ1，ＲＬ2、‥‥は、それぞれスイッチＦ0，Ｆ1，Ｆ2，‥‥および定電流源回路（能動負荷）Ｊ0，Ｊ1，Ｊ2，‥‥を介してグランド端子に電気的に接続されている。
【手続補正３】
【補正対象書類名】明細書
【補正対象項目名】０００８
【補正方法】変更
【補正の内容】
【０００８】
次に、第２水平走査期間では、Ｋ0＝オフ、Ｋ1＝オン、Ｆ0＝オフ、Ｆ1＝オンであるから、ＬＥＤ11が点灯し、ＬＥＤ10（Ｃａｐ10）が充電される。ＬＥＤ00は消灯し、一時的に（消灯中は）コンデンサとみなすことができる。この時に問題となるのは、ＬＥＤ01（Ｃａｐ01）である。スイッチＦ1が閉じることによって、ＬＥＤ01（Ｃａｐ01）のカソード電極に蓄積されていた負電荷が信号ラインＲＬ1を通じてグランド側に移動する。一方、スイッチＫ0が開いているため、ＬＥＤ01（Ｃａｐ01）のアノード電極に蓄積されていた正電荷は、直流的な逃げ道を絶たれている。このため、ＬＥＤ01（Ｃａｐ01）の両電極間の電位差（Ｖcap）が急激に増大し、それまで等価的にはコンデンサであったＬＥＤ01が導通して点灯してしまう。もっとも、ＶcapがＬＥＤ01のしきい値より下がると、導通（点灯）は止まる。いずれにせよ、第２水平走査期間では本来点灯すべきでないＬＥＤ01が信号とは関係なく容量性のノイズが原因で誤点灯してしまう。
【手続補正４】
【補正対象書類名】明細書
【補正対象項目名】００１１
【補正方法】変更
【補正の内容】
【００１１】
【発明が解決しようとする課題】
上記の目的を達成するために、本発明の第１の観点によるドットマトリクス表示装置は、複数本の走査電極と複数本の信号電極とをマトリクス状に交差配置し、マトリクスの各交差点で表示素子を前記走査電極と前記信号電極との間の電圧によって駆動するドットマトリクス表示装置であって、前記走査電極と所定の基準電位を与える基準電圧端子との間に非表示用の整流素子を所定の極性で電気的に接続し、前記走査電極に駆動電圧が供給されていない期間中に前記走査電極上の電荷を前記整流素子を介して前記基準電圧端子側に放電する構成とした。
【手続補正５】
【補正対象書類名】明細書
【補正対象項目名】００１２
【補正方法】変更
【補正の内容】
【００１２】
上記ドットマトリクス表示装置においては、好ましくは、上記の基本構成に加えて、前記走査電極と前記基準電圧端子との間で前記整流素子と直列に接続されたスイッチと、前記走査電極に駆動電圧が供給されている期間中の所定時間だけ前記スイッチをオン状態にするスイッチ制御手段とをさらに備えてよい。
あるいは、上記の基本構成に加えて、一定の水平走査周期で前記複数本の走査電極を所定の駆動用基準電圧で順次駆動する走査電極駆動手段と、前記水平走査の各サイクルにおいて前記複数本の信号電極をそれぞれ対応する信号に応じて駆動する信号電極駆動手段と、前記走査電極と前記基準電圧端子との間で前記整流素子と直列に接続されたスイッチと、各水平走査期間の走査駆動期間中の所定時間だけ前記スイッチをオン状態にするスイッチ制御手段とをさらに備えてよい。
また、前記走査電極と前記基準電圧端子との間で前記整流素子と直列に接続された定電流源回路をさらに有する構成としてもよい。また、前記表示素子に発光ダイオードを用いた場合は、一部の前記表示素子が前記整流素子として機能する構成とすることもできる。
【手続補正６】
【補正対象書類名】明細書
【補正対象項目名】００１３
【補正方法】変更
【補正の内容】
【００１３】
本発明の第２の観点におけるドットマトリクス表示装置は、マトリクス状に配置された複数の走査線及び複数の信号線と、各走査線と各信号線との間にそれらの交差位置においてそれぞれ結合された複数の表示素子と、表示素子の誤活性化を低減するための回路とを有するドットマトリクス表示装置であって、上記回路が、表示素子を駆動するために使用される電圧よりも低い出力電圧を有する電圧源と、信号線が表示素子を活性化していないときに、表示素子を駆動するために使用される電圧と上記電圧源とに各走査線を結合させる放電回路とを有する。
上記ドットマトリクス表示装置においては、好ましい一態様として、上記放電回路の動作によって、表示素子の誤活性化を低減するために表示素子に蓄積された電荷が放電される。また、上記ドットマトリクス表示装置がＬＥＤ表示装置であり、上記放電回路が、各ＬＥＤと走査線に蓄積された電荷を放電するために、各走査線と上記電圧源との間にそれぞれ結合されている複数のＬＥＤを有する。
また、好ましい一態様によれば、上記放電回路が、上記各ＬＥＤの一方の電極と上記電圧源との間に結合されたスイッチを有し、更にはスイッチと上記電圧源との間に結合された電流源を有する。
また、好ましい一態様によれば、上記複数のＬＥＤがドットマトリクス表示装置の１列に配置されており、当該１列のＬＥＤが表示装置の可視領域を形成しないように覆われている。上記電圧源は、好ましくは基準電位である。また、上記放電回路が複数の走査線バッファ回路を有し、当該走査線バッファ回路の各々が、表示素子が駆動されないときに、走査線の１つを上記電圧源に結合する。上記バッファ回路の各々は、表示素子が駆動されるときに、それぞれの走査線を駆動電圧源に結合する。また、好ましくは、各水平走査期間の開始時と各駆動信号の印加の時間との間に、表示素子が放電される。
【手続補正７】
【補正対象書類名】明細書
【補正対象項目名】００１４
【補正方法】変更
【補正の内容】
【００１４】
本発明の第３の観点におけるドットマトリクス表示装置は、マトリクス状に配置された複数の走査線及び複数の信号線と、各走査線と各信号線との間にそれらの交差位置においてそれぞれ結合された複数の表示素子と、表示素子の誤活性化を低減するための回路とを有するドットマトリクス表示装置であって、上記回路が、表示素子を駆動するために使用される電圧よりも低い出力電圧を有する電圧源と、信号線の１つが表示素子を活性化していないときに、表示素子を駆動するために使用される電圧と上記電圧源とに各走査線を結合させる放電回路とを有し、上記放電回路が複数のＬＥＤと複数のスイッチとを有し、上記ＬＥＤの１つが、走査線に蓄積された電荷を放電するために、走査線と上記電圧源との間に結合されており、上記スイッチの１つが上記ＬＥＤと上記電圧源との間に結合されている。
上記ドットマトリクス表示装置においては、好ましい一態様として、上記放電回路が、更に、上記各スイッチと上記電圧源との間に結合された電流源を有する。好ましくは、上記電圧源は基準電位である。